(57)【要約】  メディア独立ハンドオーバー（ＭＩＨ）メッセージは、ＤＩＡＭＥＴＥＲメッセージにマッピングされ、ＤＩＡＭＥＴＥＲを使用して、ピアＭＩＨエンティティに伝えられる。ローカルＭＩＨメッセージも、ＤＩＡＭＥＴＥＲを使用して伝えることができる。一実施形態において、ＩＥＥＥ８０２．２１ＭＩＨメッセージは、ＤＩＡＭＥＴＥＲメッセージにマッピングされる。ＩＥＥＥ８０２．２１情報要素（ＩＥ）は、属性値ペア（ＡＶＰ）としてＤＩＡＭＥＴＥＲを介してトランスポートされる。メッセージタイプを示すために、新しいＤＩＡＭＥＴＥＲコマンドコード、およびコマンドフラグが定義することができる。安全なＩＰベースのトランスポート、ディスカバリ、および能力交渉は、ＤＩＡＭＥＴＥＲを介したＭＩＨを使用して実行することができる。
2010528567.tif 000002
【特許請求の範囲】
【請求項１】
無線送受信ユニット（ＷＴＲＵ）であって、
メディア独立ハンドオーバー（ＭＩＨ）プロトコル層およびＤＩＡＭＥＴＥＲプロトコル層を含むプロトコルスタックを動作させ、ＭＩＨメッセージをＤＩＡＭＥＴＥＲメッセージに変換するように構成されたプロセッサと、
前記ＤＩＡＭＥＴＥＲメッセージを送信するように構成された送信機と
を含むことを特徴とするＷＴＲＵ。
【請求項２】
受信されたＤＩＡＭＥＴＥＲに変換されたＭＩＨメッセージからＭＩＨメッセージを抽出し、前記抽出されたＭＩＨメッセージに基づいて、ＭＩＨ機能を実行するように構成されたＭＩＨ機能
をさらに含むことを特徴とする請求項１に記載のＷＴＲＵ。
【請求項３】
前記プロセッサは、前記ＭＩＨメッセージをＤＩＡＭＥＴＥＲ属性値ペア（ＡＶＰ）に変換するように構成されていることを特徴とする請求項１に記載のＷＴＲＵ。
【請求項４】
前記ＭＩＨメッセージは、複数の情報要素（ＩＥ）を含み、前記複数のＩＥは、グループ化ＡＶＰとして変換されることを特徴とする請求項３に記載のＷＴＲＵ。
【請求項５】
無線送受信ユニット（ＷＴＲＵ）で使用される方法であって、
メディア独立ハンドオーバー（ＭＩＨ）メッセージを作成することと、
前記ＭＩＨメッセージをＤＩＡＭＥＴＥＲプロトコルメッセージに変換することと、
前記ＤＩＡＭＥＴＥＲプロトコルメッセージをピアエンティティに送信することと
を含むことを特徴とする方法。
【請求項６】
変換されたＭＩＨメッセージを含むＤＩＡＭＥＴＥＲメッセージを受信することと、
前記受信されたＤＩＡＭＥＴＥＲメッセージから前記変換されたＭＩＨメッセージを抽出することと、
前記抽出されたＭＩＨメッセージに基づいてＭＩＨ機能を実行することと
をさらに含むことを特徴とする請求項５に記載の方法。
【請求項７】
前記ＭＩＨメッセージをＤＩＡＭＥＴＥＲプロトコルメッセージに変換することは、前記ＭＩＨメッセージをＤＩＡＭＥＴＥＲ属性値ペア（ＡＶＰ）に変換することを含むことを特徴とする請求項５に記載の方法。
【請求項８】
前記ＭＩＨメッセージは、複数の情報要素（ＩＥ）を含み、前記ＭＩＨメッセージをＤＩＡＭＥＴＥＲプロトコルメッセージに変換することは、前記複数のＩＥをグループ化ＡＶＰとして変換することを含むことを特徴とする請求項５に記載の方法。
【請求項９】
前記ＭＩＨメッセージをＤＩＡＭＥＴＥＲプロトコルメッセージに変換することは、ＩＰセキュリティ機構を使用して認証し、暗号化することを含むことを特徴とする請求項５に記載の方法。
【請求項１０】
無線送受信ユニット（ＷＴＲＵ）であって、
アクセス独立モビリティ対応プロトコル層およびＤＩＡＭＥＴＥＲプロトコル層を含むプロトコルスタックを動作させ、前記ＤＩＡＭＥＴＥＲプロトコル層を使用して、前記アクセス独立モビリティ対応プロトコル層のピアエンティティを発見するように構成されたプロセッサ
を含むことを特徴とするＷＴＲＵ。
【請求項１１】
前記アクセス独立モビリティ対応プロトコル層は、情報サービス、イベントサービス、およびコマンドサービスのうちの少なくとも１つを提供することを特徴とする請求項１０に記載のＷＴＲＵ。
【請求項１２】
前記情報サービスは、使用可能なアクセス技術および位置情報のうちの少なくとも一方に関連する情報の交換を容易にすることを特徴とする請求項１１に記載のＷＴＲＵ。
【請求項１３】
前記イベントサービスは、新しいアクセスリンクの可用性および測定レポートのうちの少なくとも一方に関連する情報の交換を容易にすることを特徴とする請求項１１に記載のＷＴＲＵ。
【請求項１４】
前記コマンドサービスは、異なるアクセスへのハンドオーバーを実行するための指示を提供することを特徴とする請求項１１に記載のＷＴＲＵ。
【請求項１５】
前記アクセス独立モビリティ対応プロトコルは、ＩＥＥＥ８０２．２１であることを特徴とする請求項１０に記載のＷＴＲＵ。
【請求項１６】
前記ＤＩＡＭＥＴＥＲプロトコル層は、発見されたピアエンティティの完全修飾ドメイン名（ＦＱＤＮ）をアクセス独立モビリティ対応プロトコルに提供することを特徴とする請求項１０に記載のＷＴＲＵ。
【請求項１７】
前記ＦＱＤＮは、ＤＩＡＭＥＴＥＲ属性値ペア（ＡＶＰ）として符号化されることを特徴とする請求項１６に記載のＷＴＲＵ。
【請求項１８】
前記ＤＩＡＭＥＴＥＲプロトコル層は、前記アクセス独立モビリティ対応プロトコルによってピアエンティティ機能の発見を容易にする情報を提供することを特徴とする請求項１０に記載のＷＴＲＵ。
【請求項１９】
前記情報は、ＤＩＡＭＥＴＥＲ属性値ペアとして符号化されることを特徴とする請求項１８に記載のＷＴＲＵ。
【発明の詳細な説明】
【背景技術】
【０００１】
ＩＥＥＥ８０２．２１標準は、システム間のハンドオーバーの実行および管理を支援する機構および手順を定義する。ＩＥＥＥ８０２．２１は、クライアントモバイルインターネットプロトコル（クライアントＭＩＰ）やプロキシＭＩＰなど、モビリティ管理の用途に使用可能な３つの主なサービスを定義する。図１を参照すると、これらのサービスは、イベントサービス１００、情報サービス１０５、およびコマンドサービス１１０である。これらのサービスは、メディア独立ハンドオーバー（media independent handover：ＭＩＨ）機能（ＭＩＨＦ）１２５を介して、情報およびトリガを下位層１１５から上位層１２０に提供することによって、ハンドオーバー操作、システムディスカバリ、およびシステム選択の管理を支援する。
【０００２】
イベントは、物理、データリンク、および論理リンク層の状態および送信挙動の変化を示し、これらの層の可能な状態の変化について警告することができる。また、イベントサービスは、ネットワークまたは何らかの管理エンティティの部分における管理アクションまたはコマンド状況を示すために使用することができる。コマンドサービスによって、上位層は、物理、データリンク、および論理リンク層（「下位層」としても知られる）を制御することができる。上位層は、１組のハンドオーバーコマンドを介して適切なリンクの再構成または選択を制御することができる。ＭＩＨＦがコマンドサービスに対応している場合、すべてのＭＩＨコマンドは、本質的に必須である。ＭＩＨＦは、コマンドを受信すると、常にコマンドを実行すると想定される。メディア独立情報サービス（Media Independent Information Service：ＭＩＩＳ）は、ハンドオーバーを容易にするため、ＭＩＨＦエンティティが地理的エリア内に存在するネットワーク情報を発見し、取得することができるフレームワークおよび対応する機構を提供する。
【０００３】
ＤＩＡＭＥＴＥＲは、主にネットワークの認証、許可、課金（ＡＡＡ）のために使用されるインターネット技術タスクフォース（ＩＥＴＦ）プロトコルである。ＤＩＡＭＥＴＥＲは、以下の機能、すなわち属性値ペア（ＡＶＰ）の配信、能力交渉（capabilities negotiation）、エラー通知、新しいコマンドおよびＡＶＰの追加による拡張性、セキュリティ（インターネットプロトコルセキュリティ（ＩＰＳｅｃ）はＤＩＡＭＥＴＥＲにおいて必須であり、トランスポート層セキュリティ（ＴＬＳ）はオプションである）、ＤＮＳを介したピアの発見および構成、およびドメイン間ローミングのサポートを提供する。ＤＩＡＭＥＴＥＲは、伝送制御プロトコル（ＴＣＰ）またはストリーム制御伝送プロトコル（ＳＣＴＰ）を介して動作する。
【０００４】
ＤＩＡＭＥＴＥＲアプリケーションは、新しいコマンドおよび／または属性を追加することによってベースのプロトコルを拡張することができる。１つのＤＩＡＭＥＴＥＲアプリケーションは、プログラムではなく、ＤＩＡＭＥＴＥＲに基づく１つのプロトコルなのである。図２を参照すると、ＤＩＡＭＥＴＥＲヘッダー２００は、コマンドフラグ２０５、コマンドコードフィールド２１０、アプリケーションＩＤフィールド２１５、および少なくとも１つの属性値ペア（ＡＶＰ）フィールド２２０を含む。コマンドフラグ２０５は、次のコマンドの特徴を示す。異なるアプリケーションは、アプリケーション固有のコマンドコード２１０および関連のＡＶＰデータフォーマット２２０と共に、一意のアプリケーションＩＤフィールド２１５によって識別される。新しいアプリケーションは、既存のコマンドコード２１０およびＡＶＰ２２０を再利用するか、新しいものを定義することができる。新しいコマンドコード２１０およびＡＶＰデータフォーマット２２０は、Ｉｎｔｅｒｎｅｔ  Ａｓｓｉｇｎｅｄ  Ｎｕｍｂｅｒｓ  Ａｕｔｈｏｒｉｔｙ（ＩＡＮＡ）によって承認される。
【０００５】
図３を参照すると、コマンドフラグ２０５は、８ビットであり、コマンドコードフィールド２１０において定義された次のコマンドの特徴を示すために使用される。コマンドフラグ２０５の第１のビット位置（ビット０）は、Ｒ（要求）ビットである。設定されていると、このメッセージは要求であり、そうでない場合、回答である。コマンドフラグ２０５の第２のビット位置（ビット１）は、Ｐ（プロキシ可能）ビットである。設定されていると、このメッセージはプロキシし、中継し、または転送することができる。クリアされていると、このメッセージは、ローカルで処理されなければならない。コマンドフラグ２０５の第３のビット位置（ビット２）は、Ｅ（エラー）ビットである。設定されていると、このメッセージは、プロトコルエラーを含み、このコマンドのために記述された拡張バッカスナウア記法（augmented Backus-Naur form：ＡＢＮＦ）構文に準拠していない。Ｅビットセットを含むメッセージは、一般に、エラーメッセージと呼ばれる。このビットは、要求メッセージに設定してはいけない。コマンドフラグ２０５の第４のビット位置（ビット３）は、Ｔ（再送信される可能性のあるメッセージ）ビットである。このビットは、重複する要求の削除を支援するために、リンクフェイルオーバー手順の後に設定される。これは、リンク障害に重複が発生する可能性があることを示すしるしとして、再送信要求がまだ承認されていないときに設定される。Ｔビットは、初めて要求を送信するときにクリアされなければならない。そうでない場合、送信側は、このフラグを設定しなければならない。Ｔフラグが設定された要求を受信するＤＩＡＭＥＴＥＲエージェントは、転送される要求においてＴフラグを設定したままにしておく必要がある。以前のメッセージについて、エラー回答メッセージ（例えば、プロトコルエラー）が受信された場合、Ｔビットを設定してはならない。要求についての回答がサーバから受信されておらず、要求が再送信された場合のみ、Ｔビットが設定される。Ｔビットは、回答メッセージに設定してはならない。残りのビット位置（ビット４から７まで）は、予備である。これらのフラグビットは、将来使用するために未使用である。これらは、ゼロに設定され、受信側は無視しなければならない。
【０００６】
図４を参照すると、ＤＩＡＭＥＴＥＲ  ＡＶＰデータフォーマット２２０は、ＡＶＰコード４０５、ＡＶＰフラグ４１０、ＡＶＰ長４１５、オプションのベンダー識別（ベンダーＩＤ）フィールド４２０、および関連のデータフィールド４２５を含む。基本的なＡＶＰデータフォーマットは、オクテット列、整数（３２ビット、６４ビット）、浮動小数点（３２ビットまたは６４ビット）、符号無し整数（３２ビットまたは６４ビット）、およびグループ化（grouped）（ＡＶＰのシーケンス）を含む。ＡＶＰ長４１５は、３オクテットであり、ＡＶＰコード４０５、ＡＶＰフラグ４１０、ＡＶＰ長４１５、ベンダーＩＤフィールド４２０（存在する場合）、およびＡＶＰデータ４２５を含む、このＡＶＰ２２０におけるオクテットの数を示す。無効な属性長のメッセージが受信された場合、このメッセージは、拒否するものとする。
【０００７】
図５を参照すると、ＡＶＰフラグ４１０は、受信側に、各属性をどのように処理しなければならないかを知らせる。ベンダー固有ビットとして知られる「Ｖ」ビットは、オプションのベンダーＩＤフィールドがＡＶＰヘッダーに存在するかどうかを示す。設定された場合、ＡＶＰコードは、特定のベンダーコードアドレス空間に属する。Ｍ（必須）ビットは、ＡＶＰの対応が必要かどうかを示す。Ｍビットが設定されたＡＶＰがＤＩＡＭＥＴＥＲクライアント、サーバ、プロキシ、または変換エージェントによって受信され、ＡＶＰまたはその値が認識されていない場合、このメッセージは、拒否されなければならない。ＤＩＡＭＥＴＥＲ中継および転送エージェントは、ＡＶＰが認識されていないメッセージを拒否してはならない。Ｐ（プライバシ）ビットは、エンドツーエンドセキュリティの暗号の必要性を示す。ｒ（予備）ビットは、未使用であり、０に設定されるものとする。その後のＤＩＡＭＥＴＥＲアプリケーションは、ＡＶＰフラグ４１０内において追加のビットを定義することができ、未認識のビットは、エラーと見なされるものとする。
【発明の概要】
【発明が解決しようとする課題】
【０００８】
ＩＥＥＥ８０２．２１標準は、上位のインターネットプロトコル（ＩＰ）およびトランスポート層（まとめて上位層）との対話のための機構を指定しない。ＤＩＡＭＥＴＥＲを柔軟にするため、安全なＩＰベースのトランスポート、ディスカバリ、および能力交渉の機構に対応するＤＩＡＭＥＴＥＲベースのＩＥＥＥ８０２．２１アプリケーションが望まれる。
【課題を解決するための手段】
【０００９】
メディア独立ハンドオーバー（ＭＩＨ）メッセージは、ＤＩＡＭＥＴＥＲメッセージにマッピングされ、ＤＩＡＭＥＴＥＲを使用して、ピアＭＩＨエンティティに伝えられる。ローカルＭＩＨメッセージも、ＤＩＡＭＥＴＥＲを使用して伝えることができる。一実施形態において、ＩＥＥＥ８０２．２１  ＭＩＨメッセージは、ＤＩＡＭＥＴＥＲメッセージにマッピングされる。ＩＥＥＥ８０２．２１情報要素（ＩＥ）は、属性値ペア（ＡＶＰ）としてＤＩＡＭＥＴＥＲを介してトランスポートされる。メッセージタイプを示すために、新しいＤＩＡＭＥＴＥＲコマンドコード、およびコマンドフラグが定義することができる。安全なＩＰベースのトランスポート、ディスカバリ、および能力交渉は、ＤＩＡＭＥＴＥＲを介してＭＩＨを使用して実行することができる。
【００１０】
本発明は、例として示され、添付の図面と併せ読めば理解される以下の説明から、より詳しく理解することができよう。
【図面の簡単な説明】
【００１１】
【図１】従来技術によるＩＥＥＥ８０２．２１プロトコルアーキテクチャを示す図である。
【図２】従来技術によるＤＩＡＭＥＴＥＲヘッダーメッセージ構成を示す図である。
【図３】図２のＤＩＡＭＥＴＥＲヘッダーメッセージのコマンドフラグフィールド構成を示す図である。
【図４】図２のＤＩＡＭＥＴＥＲヘッダーメッセージのＡＶＰデータフォーマットを示す図である。
【図５】図４のＡＶＰデータフォーマットのＡＶＰフラグフィールド構成を示す図である。
【図６】本明細書で開示されるＤＩＡＭＥＴＥＲを介したＩＥＥＥ８０２．２１プロトコルアーキテクチャを示す図である。
【図７】本明細書で開示される第２のＤＩＡＭＥＴＥＲを介したＩＥＥＥ８０２．２１プロトコルアーキテクチャを示す図である。
【図８】ＤＩＡＭＥＴＥＲを介したＩＥＥＥ８０２．２１によるマルチＰｏＳと通信するＷＴＲＵの広域ネットワークアーキテクチャを示す図である。
【図９】本明細書で開示されるＤＩＡＭＥＴＥＲを介したＩＥＥＥ８０２．２１を使用して通信するように構成されたＷＴＲＵおよびアクセスポイントを示す図である。
【発明を実施するための形態】
【００１２】
以下で言及する場合、「無線送受信ユニット（ＷＴＲＵ）」という用語は、それだけには限定されないが、移動ノード、ユーザ機器（ＵＥ）、移動局、固定式または携帯式の加入者ユニット、ページャ、セルラー電話、個人用デジタル補助装置（ＰＤＡ）、コンピュータ、または無線環境で動作することができる他の任意のタイプのユーザ装置を含む。以下で言及するとき、「アクセスポイント」という用語は、それだけに限定されないが、Ｎｏｄｅ−Ｂ、サイトコントローラ、基地局、または無線環境で動作することができる他の任意のタイプのインターフェイス装置を含む。
【００１３】
本明細書で開示される実施形態は、ＩＥＥＥ８０２．２１のメディア独立ハンドオーバー標準など、アクセス独立モビリティ対応プロトコルのための情報を交換するためのＤＩＡＭＥＴＥＲベースのプロトコルを対象とする。一実施形態において、ＩＥＥＥ８０２．２１ピアは、ＤＩＡＭＥＴＥＲベースのプロトコルを使用して発見される。別の実施形態において、ＩＥＥＥ８０２．２１メッセージングは、制御プレーンおよびユーザプレーンのシグナリングのために、モバイルクライアント（例えばＷＴＲＵ）とアンカーポイント（例えば、ＭＩＨサーバ（ＭＩＨＳ））との間の情報、イベント、およびコマンドの交換を可能にするために、ＤＩＡＭＥＴＥＲベースのシグナリングを介して運ばれる。
【００１４】
ＤＩＡＭＥＴＥＲを介した８０２．２１シグナリングは、ＭＩＨメッセージをＤＩＡＭＥＴＥＲアプリケーションとしてトランスポートすることによって、ＭＩＨ層を実際にプロトコルアーキテクチャにおいて上方向に移動させる。図６を参照すると、ＤＩＡＭＥＴＥＲを介したＩＥＥＥ８０２．２１プロトコルアーキテクチャは、下位層６０５、ＤＩＡＭＥＴＥＲ、ＴＣＰ／ＳＣＴＰ、およびＩＰ層６１０、ＭＩＨ機能６１５、および上位層６２０を含む。
【００１５】
ＩＥＥＥ８０２．２１の情報、イベント、およびコマンドサービスのメッセージングは、新しいＤＩＡＭＥＴＥＲ  ＡＶＰおよびコマンドコードで運ばれる。これらのＩＥＥＥ８０２．２１メッセージは、能力交渉およびディスカバリ、ならびに他の任意のメッセージングを含むことができる。ＤＩＡＭＥＴＥＲプロトコルは、セキュリティ（ＩＰｓｅｃは、ＤＩＡＭＥＴＥＲにおいて必須であり、ＴＬＳはオプションである）を提供するため、上位層トランスポートプロトコルに関して、ＩＥＥＥ８０２．２１の要件を満たすと共に、ＴＣＰまたはＳＣＴＰをトランスポート層プロトコルとして使用するため、信頼性およびＮＡＴトラバーサルも保証される。さらに、ＤＩＡＭＥＴＥＲプロトコルは、ＩＰｖ４またはＩＰｖ６との完全互換性がある。
【００１６】
図７を参照すると、ＤＩＡＭＥＴＥＲを介したＩＥＥＥ８０２．２１のプロトコルスタックアーキテクチャ７００によって、ＷＴＲＵ７０５は、無線アクセス技術に関係なく、ＰｏＳ（Ｐｏｉｎｔ  ｏｆ  ｓｅｒｖｉｃｅ）７１０と通信することができる。ＷＴＲＵ７０５は、技術固有の媒体アクセス制御（ＭＡＣ）および物理（ＰＨＹ）層プロトコルＭＡＣ／ＰＨＹ（例えば、８０２．１６、８０２．１１ｘ、８０２．１５、Ｇｌｏｂａｌ  Ｓｙｓｔｅｍ  ｆｏｒ  Ｍｏｂｉｌｅ  Ｃｏｍｍｕｎｉｃａｔｉｏｎ（ＧＳＭ）、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）、ＣＤＭＡ２０００など）を使用して、アクセスポイント７１５と通信する。ＭＩＨＦ層、ＤＩＡＭＥＴＥＲ層、ＴＣＰ／ＳＣＴＰ層、およびＩＰ層は、ＷＴＲＵ７０５、アクセスポイント７１５、およびＰｏｓ７１０に存在する。ＭＩＨＦメッセージングは、ＷＴＲＵ７０５、アクセスポイント７１５、ＰｏＳ７１０間で、ＤＩＡＭＥＴＥＲプロトコルメッセージングを介して通信される。
【００１７】
広域ネットワークアーキテクチャに応じて、ＩＥＥＥ８０２．２１プロトコルは、ネイティブＭＡＣ／ＰＨＹ層（図１を参照して上述した一般的なプロトコルアーキテクチャに基づいて）を介して、または図６を参照して上記で示したように、ＤＩＡＭＥＴＥＲを介して動作することができる。図８を参照すると、別の広域ネットワーク８００は、３つのＰｏＳ８１０、８１５、および８２０と通信するＷＴＲＵ８０５を含む。ＷＴＲＵ８０５は、あくまで例として、ＩＥＥＥ８０２．１１ｎ  ＭＡＣ／ＰＨＹプロトコルを介して、ＰｏＳ８１０と通信する。ＩＥＥＥ８０２．２１は、図１を参照して上述したように、ＩＥＥＥ８０２．１１ｎ  ＭＡＣ／ＰＨＹ層２プロトコルを介して動作する。ＷＴＲＵ８０５は、様々なＭＡＣ／ＰＨＹ層２プロトコルを使用して、ＰｏＳ８１５および８２０と通信し、ＩＥＥＥ８０２．２１プロトコルは、上述したように、ＤＩＡＭＥＴＥＲを介して動作する。また、ＰｏＳ８１５および８２０は、互いに通信するために、ＤＩＡＭＥＴＥＲを介したＩＥＥＥ８０２．２１プロトコルも使用することができる。
【００１８】
ＩＥＥＥ８０２．２１プロトコルがＤＩＡＭＥＴＥＲを介して実装されるとき、例えばＤＩＡＭＥＴＥＲピアの発見や能力交渉などのＤＩＡＭＥＴＥＲの機能を使用して、ＩＥＥＥ８０２．２１における同等の機構を強化し、またはそれに取って代わることができる。一実施形態において、ＤＩＡＭＥＴＥＲは、ＭＩＨピアおよびその能力を発見するために使用される。例えば、インターネットプロトコル（ＩＰ）アドレス、およびＭＩＨピアの完全修飾ドメイン名（ＦＱＤＮ）をＤＩＡＭＥＴＥＲ  ＡＶＰとして符号化することによって、ＤＩＡＭＥＴＥＲピアを発見することができる。能力交渉は、ＭＩＨピアによって提供されるサービス（例えば、情報サービスのみ、イベントサービスのみなど）を示すことができる。
【００１９】
別の実施形態において、ＷＴＲＵに配置されているローカルＭＩＨＦと、ＰｏＳに配置されているリモートＭＩＨＦとの間のすべてのＩＥＥＥ８０２．２１メッセージは、ＤＩＡＭＥＴＥＲヘッダーにおける新しいコマンドコードにマッピングされる。これらのメッセージ内のすべての情報要素（ＩＥ）は、適切なデータ型の新しいＡＶＰにマッピングされる。既存のＤＩＡＭＥＴＥＲベースの実装が、同じ機能を果たし、適切な特徴（例えば、オクテットの数など）を有するコマンドコード／ＡＶＰを有する場合、これらをＩＥＥＥ８０２．２１のために再利用することができる。さらに、すべてのＭＩＨメッセージ（例えば、ＭＩＨヘッダーＩＥ）で送信されるいくつかのＭＩＨ  ＩＥは、それ自体の別個のＤＩＡＭＥＴＥＲ  ＡＶＰをそれぞれ有するＩＥの集合と見なすことができる。これらのＡＶＰは、「グループ化ＡＶＰ」に集めることができる。
【００２０】
あくまで例として、以下の表１は、ＭＩＨメッセージおよび可能なＤＩＡＭＥＴＥＲの対応物を示す表である。新しいコマンドコードは、上記で定義されたメッセージ、およびＤＩＡＭＥＴＥＲを使用して送信することができる他の任意のＭＩＨメッセージごとに取得することができる。
【００２１】
【表１】
2010528567.tif 000003
【００２２】
ＩＥＥＥ８０２．２１プロトコルで定義されたこれらのメッセージのＩＥは、ＤＩＡＭＥＴＥＲ  ＡＶＰとしてカプセル化することができる。一例として、ＩＥＥＥ８０２．２１は、「ＴＹＰＥ＿ＩＥ＿ＣＯＳＴ」をアクセスネットワーク固有のＩＥとして識別する。ＴＹＰＥ＿ＩＥ＿ＣＯＳＴは、ＩＥＥＥ８０２．２１で定義されるように、１０オクテットの長さを有する。図４を参照して上述したＡＶＰフィールドは、それに応じて設定される。ＡＶＰフラグが決定され、ＡＶＰ長が定義され（この場合、１０オクテットプラスオーバーヘッド）、希望すれば、オプションのベンダーＩＲフィールドが追加され、ＴＹＰＥ＿ＩＥ＿ＣＯＳＴ  ＩＥがＡＶＰデータ部分に含まれる。別の例として、ＩＥＥＥ８０２．２１は、ＩＥ  ＭＩＨＦ−ＩＤを、ＭＩＨサービスを配信するためのＭＩＨＦエンドポイントを一意に識別するために必要な識別子として識別する。このＭＩＨＦ−ＩＤは、送信側のＦＱＤＮまたはＮＡＩとすることができる。ＭＩＨＦ−ＩＤの中身（例えば、ＭＩＨＦエンティティのＦＱＤＮ）は、ＤＩＡＭＥＴＥＲ  ＡＶＰとして符号化することができる。
【００２３】
上述した実施形態において、ＤＩＡＭＥＴＥＲは、ＭＩＨピア（例えば、ＷＴＲＵにおけるＭＩＨピア、およびＰｏＳにおけるＭＩＨピアなど）間のメッセージ転送、およびＭＩＨピアの発見のためのトランスポート機構として使用される。別の実施形態において、ＤＩＡＭＥＴＥＲを介したＩＥＥＥ８０２．２１は、ローカルメッセージおよびＩＥ（例えば、ＭＩＨコマンドサービスに含まれる下位層ＭＩＨトリガを含む）のためのトランスポート機構として使用される。ＤＩＡＭＥＴＥＲを介したＩＥＥＥ８０２．２１は、当然、ＭＩＨピアメッセージ転送、およびローカルＭＩＨメッセージ転送の両方のために実装することができる。
【００２４】
図９は、上述したようにＤＩＡＭＥＴＥＲを介したＩＥＥＥ８０２．２１プロトコルを実装するように構成されたＷＴＲＵ９００およびアクセスポイント９０５である。ＷＴＲＵ９００は、プロセッサ９１０、ＭＩＨ機能９１５、および異なる無線アクセス技術およびプロトコルを使用して動作するようにそれぞれ構成された複数の送受信装置９２０ａ・・・９２０ｎを含む。プロセッサ９１０およびＭＩＨ機能９１５は、上述した実施形態、特に図１、６、および７を参照して上述したものに従ってプロトコルスタックを動作させるように構成されている。さらに、プロセッサ９１０およびＭＩＨ機能９１５は、図２および図３を参照して上述したように、ＤＩＡＭＥＴＥＲメッセージ、および図４および図５を参照して上述したようにＡＶＰを生成することができる。プロセッサ９１０およびＭＩＨ機能９１５は、さらに、ＭＩＨピアメッセージングのために、ＤＩＡＭＥＴＥＲを介したＩＥＥＥ９０２．２１プロトコルを実装し、他の８０２．２１ピアの発見のためにＤＩＡＭＥＴＥＲを使用するように構成されており、一例として、８０２．２１ベースの情報サービスを提供する８０２．２１サーバは、ＤＩＡＭＥＴＥＲ発見機能を使用して見つけることができる。ＤＩＡＭＥＴＥＲを介したＩＥＥＥ８０２．２１メッセージは、複数の送受信装置９２０ａ・・・９２０ｎのうちの任意のものを介してＭＩＨピアに送信することができる。プロセッサ９１０およびＭＩＨ機能９１５は、さらに、例えばＩＥＥＥ８０２．２１コマンドサービスのために、ローカルのＤＩＡＭＥＴＥＲを介したＩＥＥＥ８０２．２１メッセージングを実装するように構成される。ＭＩＨメッセージのＤＩＡＭＥＴＥＲメッセージへの変換、および受信されたＤＩＡＭＥＴＥＲメッセージからのＭＩＨメッセージの抽出は、プロセッサ９１０またはＭＩＨ機能９１５のいずれかによって、またはその２つの組合せによって実行することができる。
【００２５】
アクセスポイント９０５は、プロセッサ９２５、ＭＩＨ機能９３０、および送受信装置９３５を含む。アクセスポイント９０５は、エアインターフェイス９４０を介してＷＴＲＵ９００と通信する。アクセスポイント９０５のプロセッサ９２５は、送受信装置９３５を介してＷＴＲＵ９００から受信されたＤＩＡＭＥＴＥＲを介したＩＥＥＥ８０２．２１メッセージを処理する。さらに、アクセスポイント９０５のプロセッサ９２５およびＭＩＨ機能９３０は、図２および図３を参照して上述したように、ＤＩＡＭＥＴＥＲメッセージ、および図４および図５を参照して上述したようにＡＶＰを生成することができる。プロセッサ９２５およびＭＩＨ機能９３０は、さらに、アクセスポイント９０５とＭＩＨサーバ（ＭＩＨＳ）９４５またはＰｏＳ（図示せず）との間のメッセージングなど、ＭＩＨピアメッセージングのために、ＤＩＡＭＥＴＥＲを介したＩＥＥＥ８０２．２１プロトコルを実装するように構成されている。ＭＩＨメッセージのＤＩＡＭＥＴＥＲメッセージへの変換、および受信したＤＩＡＭＥＴＥＲメッセージからのＭＩＨメッセージの抽出は、プロセッサ９２５またはＭＩＨ機能９３０のいずれかによって、またはその２つの組合せによって実行することができる。
【００２６】
上述した開示および実施形態は、主にＤＩＡＭＥＴＥＲを介して実施されるＩＥＥＥ８０２．２１プロトコルに焦点を絞っているが、ＤＩＡＭＥＴＥＲを介して任意のアクセス独立プロトコルが動作することができることは、当業者には明らかである。ＩＥＥＥ８０２．２１に焦点を絞ることは、単に例であり、いかなる方法によってもこの開示の範囲を制限するものではない。ＭＩＨ機能は、ＩＥＥＥ８０２．２１プロトコルを使用することなく提供することができる。この場合、依然としてＤＩＡＭＥＴＥＲの機能（例えばピアの発見や能力通知）が使用される。一例として、ＷＴＲＵは、ＤＩＡＭＥＴＥＲを使用して、ＭＩＨ情報サービスをそれに提供することができるエンティティを発見することができる。提供されるＭＩＨ情報サービスは、ＩＥＥＥ８０２．２１プロトコルによって提供されるものと類似したものでもよい。
【００２７】
本発明の特徴および要素は、好ましい実施形態に、特定の組合せで記載されているが、各特徴または要素は、好ましい実施形態の他の特徴および要素無しに単独で、または本発明の他の特徴および要素の有無にかかわらず様々な組合せで使用することができる。本発明で提供された方法またはフロー図は、汎用コンピュータまたはプロセッサによって実行するために、コンピュータ可読記憶媒体に有形で組み込まれるコンピュータプログラム、ソフトウェア、またはファームウェアにおいて実施することができる。コンピュータ読取可能な記憶媒体の例には、読み取り専用メモリ（ＲＯＭ）、ランダムアクセスメモリ（ＲＡＭ）、レジスタ、キャッシュメモリ、半導体メモリ装置、内蔵ハードディスクおよび取外式ディスクなどの磁気媒体、光磁気媒体、およびＣＤ−ＲＯＭディスクやデジタル多目的ディスク（ＤＶＤ）などの光媒体などがある。
【００２８】
適したプロセッサには、一例として、汎用プロセッサ、専用プロセッサ、従来のプロセッサ、デジタル信号プロセッサ（ＤＳＰ）、複数のマイクロプロセッサ、ＤＳＰコアと関連する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）および／または状態機械などがある。
【００２９】
ソフトウェアと関連するプロセッサは、無線送受信ユニット（ＷＴＲＵ）、ユーザ機器（ＵＥ）、端末、基地局、無線ネットワークコントローラ（ＲＮＣ）、または任意のホストコンピュータで使用するための無線周波数送受信装置を実装するために使用することができる。ＷＴＲＵは、カメラ、ビデオカメラモジュール、テレビ電話、スピーカフォン、振動装置、スピーカ、マイクロフォン、テレビ送受信機、ハンズフリーヘッドセット、キーボード、Ｂｌｕｅｔｏｏｔｈ（登録商標）モジュール、周波数変調（ＦＭ）無線ユニット、液晶ディスプレイ（ＬＣＤ）表示装置、有機発光ダイオード（ＯＬＥＤ）表示装置、デジタル音楽プレーヤ、メディアプレーヤ、ビデオゲームプレーヤモジュール、インターネットブラウザ、および／または任意の無線ローカルエリアネットワーク（ＷＬＡＮ）モジュールなど、ハードウェアおよび／またはソフトウェアに実装されるモジュールと共に使用することができる。
【００３０】
実施態様
１．無線送受信ユニット（ＷＴＲＵ）であって、
プロトコルスタックを動作させて、ＭＩＨメッセージをＤＩＡＭＥＴＥＲメッセージに変換するように構成されたプロセッサと、
ＤＩＡＭＥＴＥＲメッセージを送信するように構成された送信機と
を含むＷＴＲＵ。
２．受信されたＤＩＡＭＥＴＥＲに変換されたＭＩＨメッセージからＭＩＨメッセージを抽出し、ＭＩＨ機能を実行するように構成されたＭＩＨ機能
をさらに含む実施態様１に記載のＷＴＲＵ。
３．プロセッサは、ＭＩＨメッセージをＤＩＡＭＥＴＥＲ属性値ペア（ＡＶＰ）に変換するように構成されている実施態様１または２に記載のＷＴＲＵ。
４．ＭＩＨメッセージは、複数の情報要素（ＩＥ）を含み、複数のＩＥは、グループ化ＡＶＰとして変換される上記の実施態様のいずれかに記載のＷＴＲＵ。
５．無線送受信ユニット（ＷＴＲＵ）で使用される方法であって、
メディア独立ハンドオーバー（ＭＩＨ）メッセージを作成することと、
ＭＩＨメッセージをＤＩＡＭＥＴＥＲプロトコルメッセージに変換することと、
ＤＩＡＭＥＴＥＲプロトコルメッセージをピアエンティティに送信することと
を含む方法。
６．変換されたＭＩＨメッセージを含むＤＩＡＭＥＴＥＲメッセージを受信することと、
受信されたＤＩＡＭＥＴＥＲメッセージから変換されたＭＩＨメッセージを抽出することと、
ＭＩＨ機能を実行することと
をさらに含む実施態様５に記載の方法。
７．ＭＩＨメッセージをＤＩＡＭＥＴＥＲプロトコルメッセージに変換することは、ＭＩＨメッセージをＤＩＡＭＥＴＥＲ属性値ペア（ＡＶＰ）に変換することを含む実施態様５または６に記載の方法。
８．ＭＩＨメッセージは、複数の情報要素（ＩＥ）を含み、ＭＩＨメッセージをＤＩＡＭＥＴＥＲプロトコルメッセージに変換することは、複数のＩＥをグループ化ＡＶＰとして変換することを含む実施態様５〜７のうちのいずれかに記載の方法。
９．ＭＩＨメッセージをＤＩＡＭＥＴＥＲプロトコルメッセージに変換することは、ＩＰセキュリティ機構を使用して認証し、暗号化することを含む実施態様５〜８のうちのいずれかに記載の方法。
１０．無線送受信ユニット（ＷＴＲＵ）であって、
プロトコルスタックを動作させ、ＤＩＡＭＥＴＥＲプロトコル層を使用して、アクセス独立モビリティ対応プロトコル層のピアエンティティを発見するように構成されたプロセッサ
を含むＷＴＲＵ。
１１．アクセス独立モビリティ対応プロトコル層は、情報サービス、イベントサービス、およびコマンドサービスのうちの少なくとも１つを提供する実施態様１０に記載のＷＴＲＵ。
１２．情報サービスは、使用可能なアクセス技術および位置情報のうちの少なくとも一方に関連する情報の交換を容易にする実施態様１１に記載のＷＴＲＵ。
１３．イベントサービスは、新しいアクセスリンクの可用性および測定レポートのうちの少なくとも一方に関連する情報の交換を容易にする実施態様１１に記載のＷＴＲＵ。
１４．コマンドサービスは、異なるアクセスへのハンドオーバーを実行するための指示を提供する実施態様１１に記載のＷＴＲＵ。
１５．アクセス独立モビリティ対応プロトコルは、ＩＥＥＥ８０２．２１である実施態様１０〜１４のうちのいずれかに記載のＷＴＲＵ。
１６．ＤＩＡＭＥＴＥＲプロトコル層は、発見されたピアエンティティの完全修飾ドメイン名（ＦＱＤＮ）をアクセス独立モビリティ対応プロトコルに提供する実施態様１０〜１４のうちのいずれかに記載のＷＴＲＵ。
１７．ＦＱＤＮは、ＤＩＡＭＥＴＥＲ属性値ペア（ＡＶＰ）として符号化される実施態様１６に記載のＷＴＲＵ。
１８．ＤＩＡＭＥＴＥＲプロトコル層は、アクセス独立モビリティ対応プロトコルによってピアエンティティ機能の発見を容易にする情報を提供する実施態様１０〜１７のうちのいずれかに記載のＷＴＲＵ。
１９．情報は、ＤＩＡＭＥＴＥＲ属性値ペアとして符号化される実施態様１８に記載のＷＴＲＵ。
【図１】
2010528567.tif 000004
【図２】
2010528567.tif 000005
【図３】
2010528567.tif 000006
【図４】
2010528567.tif 000007
【図５】
2010528567.tif 000008
【図６】
2010528567.tif 000009
【図７】
2010528567.tif 000010
【図８】
2010528567.tif 000011
【図９】
2010528567.tif 000012
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）であって、
メディア独立ハンドオーバー（ＭＩＨ）プロトコル層およびＤＩＡＭＥＴＥＲプロトコル層を含むプロトコルスタックを動作させ、及びＭＩＨメッセージをＤＩＡＭＥＴＥＲメッセージに変換するように構成されたプロセッサと、
前記ＤＩＡＭＥＴＥＲメッセージを送信するように構成された送信機と
を備えたことを特徴とするＷＴＲＵ。
【請求項２】
第２のＤＩＡＭＥＴＥＲメッセージを受信するように構成された受信機をさらに含み、
前記プロセッサは、さらに、前記第２のＤＩＡＭＥＴＥＲメッセージから第２のＭＩＨメッセージを抽出し、前記抽出された第２のＭＩＨメッセージに基づいて、ＭＩＨ機能を実行するように構成されていることを特徴とする請求項１に記載のＷＴＲＵ。
【請求項３】
前記プロセッサは、前記ＭＩＨメッセージをＤＩＡＭＥＴＥＲ属性値ペア（ＡＶＰ）に変換するように構成されていることを特徴とする請求項１に記載のＷＴＲＵ。
【請求項４】
前記ＭＩＨメッセージは、複数の情報要素（ＩＥ）を含み、前記プロセッサは、前記複数のＩＥをグループ化ＡＶＰとして変換することによって、前記ＭＩＨメッセージを前記ＤＩＡＭＥＴＥＲメッセージに変換するように構成されていることを特徴とする請求項３に記載のＷＴＲＵ。
【請求項５】
無線送受信ユニット（ＷＴＲＵ）で使用される方法であって、
メディア独立ハンドオーバー（ＭＩＨ）メッセージを作成するステップと、
前記ＭＩＨメッセージをＤＩＡＭＥＴＥＲプロトコルメッセージに変換するステップと、
前記ＤＩＡＭＥＴＥＲプロトコルメッセージを送信するステップと
を備えたことを特徴とする方法。
【請求項６】
第２のＤＩＡＭＥＴＥＲメッセージを受信するステップと、
前記第２のＤＩＡＭＥＴＥＲメッセージから第２のＭＩＨメッセージを抽出するステップと、
前記抽出された第２のＭＩＨメッセージに基づいてＭＩＨ機能を実行するステップと
をさらに備えたことを特徴とする請求項５に記載の方法。
【請求項７】
前記ＭＩＨメッセージをＤＩＡＭＥＴＥＲプロトコルメッセージに変換するステップは、前記ＭＩＨメッセージをＤＩＡＭＥＴＥＲ属性値ペア（ＡＶＰ）に変換するステップを含むことを特徴とする請求項５に記載の方法。
【請求項８】
前記ＭＩＨメッセージは、複数の情報要素（ＩＥ）を含み、前記ＭＩＨメッセージをＤＩＡＭＥＴＥＲプロトコルメッセージに変換するステップは、前記複数のＩＥをグループ化ＡＶＰとして変換するステップを含むことを特徴とする請求項７に記載の方法。
【請求項９】
前記ＭＩＨメッセージをＤＩＡＭＥＴＥＲプロトコルメッセージに変換するステップは、ＩＰセキュリティ機構を使用して認証し、暗号化するステップを含むことを特徴とする請求項５に記載の方法。
【請求項１０】
無線送受信ユニット（ＷＴＲＵ）であって、
アクセス独立モビリティ対応プロトコル層およびＤＩＡＭＥＴＥＲプロトコル層を含むプロトコルスタックを動作させ、前記ＤＩＡＭＥＴＥＲプロトコル層を使用して、前記アクセス独立モビリティ対応プロトコル層のピアエンティティを発見するように構成されたプロセッサ
を備えたことを特徴とするＷＴＲＵ。
【請求項１１】
前記アクセス独立モビリティ対応層は、ＩＥＥＥ８０２．２１プロトコルを実装することを特徴とする請求項１０に記載のＷＴＲＵ。
【請求項１２】
前記ＤＩＡＭＥＴＥＲプロトコル層は、発見されたピアエンティティの完全修飾ドメイン名（ＦＱＤＮ）を前記アクセス独立モビリティ対応プロトコル層に伝えるように構成されていることを特徴とする請求項１０に記載のＷＴＲＵ。
【請求項１３】
前記ＦＱＤＮは、ＤＩＡＭＥＴＥＲ属性値ペア（ＡＶＰ）として符号化されることを特徴とする請求項１２に記載のＷＴＲＵ。
【請求項１４】
前記ＤＩＡＭＥＴＥＲプロトコル層は、発見情報を前記アクセス対応モビリティ対応プロトコル層に提供するように構成され、前記アクセス独立モビリティ対応プロトコル層は、前記発見情報に基づいて、ピアエンティティ機能を発見するように構成されていることを特徴とする請求項１０に記載のＷＴＲＵ。
【請求項１５】
前記発見情報は、ＤＩＡＭＥＴＥＲ属性値ペア（ＡＶＰ）として符号化されることを特徴とする請求項１４に記載のＷＴＲＵ。
【国際調査報告】
2010528567.tif 000013
2010528567.tif 000014